(57)【特許請求の範囲】
【請求項１】
光多重信号のための入力（Ｉ）と出力（Ｏ）を備えた波長分割多重化光信号のアド／ドロップ装置にして、その入力と出力の間に複数の処理回路（２）が挿入され、それらの処理回路は各々、入力光多重信号の「Ｍ」個チャネルのうちの「Ｎ」個のチャネルの１つの中に含まれる光信号のドロップと、ドロップされた信号によって使用可能な状態にされた多重信号チャネル内への光信号のアドとを可能にする、アド／ドロップ装置であって、各処理回路は、特定の波長に対応する個別チャネルのためのドロップ用フィルタ（３）とアド用フィルタ（５）と、さらに、チャネルにおけるドロップ及びアドのために、ドロップ用フィルタのドロップポート（３Ｓ１）、アド用個別入力（４Ｅ１）、ドロップ用個別出力（４Ｓ１）、およびアド用フィルタのアドポート（５Ｅ１）が接続された個別光学切替えスイッチ（４）とを有し、また、ドロップ及びアドの目的で１つのドロップ用フィルタから他のドロップ用フィルタへの及び１つのアド用フィルタから他のアド用フィルタへの多重信号の伝送のために、それぞれの処理回路のドロップ用フィルタが、これらドロップ用フィルタによって構成されるドロップアセンブリ（６）においてチャネルの波長の大きい方から順に、装置の入力から直列に接続され、そのドロップアセンブリの出力では、アド用フィルタが、これらアド用フィルタによって構成されるアドアセンブリ（８）においてチャネルの波長の大きい方から順に、直列に接続され、第１のドロップ用フィルタの入力ポートと最後のアド用フィルタの出力ポートがそれぞれ接続された装置の入力と出力との間で、各ドロップ用フィルタの出力ポート（３Ｓ２）が、直列に次のドロップ用フィルタの多重信号の入力ポート（３Ｅ）に接続され、各アド用フィルタの多重信号の出力ポート（５Ｓ）が、直列に次のアド用フィルタの多重信号の入力ポート（５Ｅ２）に接続され、レベル調整用の固定減衰器（７）が、最後のドロップ用フィルタからの多重信号が通過するドロップアセンブリ（６または６’）の出力と、その多重信号が受け取られるアドアセンブリの第１のアド用フィルタ（５）の入力ポート（５Ｅ２）との間に挿入されることを特徴とする装置。
【請求項２】
アドもドロップも可能でなく装置を通過する多重化光信号の挿入損失（ＩＬ＿ａｇｇ）と、ドロップ可能なチャネルの「Ｎ」個の波長で伝送される多重化光信号のための挿入損失（ＩＬ＿ＡＤ）との間の差が、
ＩＬ＿ＡＤ−ＩＬ＿ａｇｇ＝ＩＬ＿ｄｒｏｐ＋ＩＬ＿ｓｗ＋ＩＬ＿ａｄｄ−（Ｎ＋１）×ＩＬ＿ｔｈｒｕ
の式によって表され、設置された処理回路の数Ｎについて最小化され、
ＩＬ＿ｄｒｏｐはドロップ用フィルタについてのドロップ損失に対応し、
ＩＬ＿ｓｗは、通過される光学切替えスイッチのレベルで発生する損失に対応し、
ＩＬ＿ａｄｄは、アド用フィルタについての挿入損失に対応し、
ＩＬ＿ｔｈｒｕは、アドまたはドロップ用フィルタの多重信号の入力ポートと多重信号の出力ポートとの間に発生する通過損失に対応する請求項１に記載の装置。
【請求項３】
処理回路の数が４つである請求項１または２に記載の装置。
【請求項４】
除去用フィルタ（９）が、ドロップされた信号に対する除去レベルをアップさせるために、処理回路のドロップ用フィルタ（３）の多重信号の出力ポート（３Ｓ２）の下流側で各処理回路内に組み入れられ、この除去用フィルタは、この出力ポートと、すぐ次のドロップ用フィルタの多重信号の入力ポート（３Ｅ）との間に、もしくは、処理回路のアド用フィルタの入力ポート（５Ｅ２）と、この除去用フィルタがその入力ポート（９Ｅ）によって接続されたすぐ前のアド用フィルタの出力ポート（５Ｓ）との間に挿入される請求項１から３のいずれか一項に記載の装置。
【請求項５】
各処理回路が、ドロップされた光信号に対する処理回路の除去レベルをアップさせるために２つ除去用フィルタ（９）を備え、それら２つのフィルタのうちの１つは、ドロップアセンブリ内の処理回路のドロップ用フィルタの多重信号出力ポートの下流側に、もう１つは、アドアセンブリ内の処理回路のアド用フィルタの入力ポートの上流側に接続される請求項１から３のいずれか一項に記載の装置。
【請求項６】
処理回路がドロップ用フィルタ（３）を備え、そのフィルタのドロップポート（３Ｓ１）が、信号の同時伝送を可能にするために第１の光学ディバイダ（１０）に接続され、その第１の光学ディバイダ（１０）は、一方では、装置から出力される多重信号内への再挿入のために処理回路のアド用フィルタへ、他方では、処理回路に割当てられた装置のドロップ用個別出力（４Ｓ１’）へ信号をドロップする請求項１から５のいずれか一項に記載の装置。
【請求項７】
処理回路が、信号のアド用個別入力から受け取った信号を、一方では処理回路のアド用フィルタ（５）へ、他方では処理回路に割当てられるドロップ用個別出力（４Ｓ１’）への同時伝送を可能にするために、装置の信号のアド用個別入力（４Ｅ１）に接続された第２の光学ディバイダ（１０’）を備え、伝送が処理回路の少なくとも１つの切替えスイッチ（４’）を経由して行われる請求項６に記載の装置。
【請求項８】
２つの非対称出力を備える光学ディバイダを有する請求項６または７に記載の装置。
【請求項９】
アド、ドロップ、除去用フィルタが、多層型干渉フィルタタイプ、ＩＦＢＧタイプ、ＭＺ−ＩＦＢＧタイプ、または溶解−線引き加工によって得られ、中央領域にブラグ格子を有するファイバカップラタイプである請求項１から８のいずれか一項に記載の装置。
【発明の詳細な説明】
【０００１】
【発明の属する技術分野】
本発明は、波長分割多重化光信号のアド／ドロップ装置に関するものである。この装置は、多重化された光信号のいくつかをそこから抽出（ドロップ）し、ドロップされた信号によって使用可能な状態にされた波長を用いて他の光信号に置き換えることを可能にするために、多重信号を伝送する光リンクに連結するための装置である。
【０００２】
【従来の技術】
特定の波長の光信号の挿入（アド）と抽出（ドロップ）は、地理的に散在したユーザと通信するネットワークにおける、情報の伝達に必要不可欠な作業である。したがって、このために、所定の波長で確立される多重信号の伝送チャネル内に光信号を注入し、種々のチャネルによって伝送される情報を選択的に回収することを可能にする装置が存在する。これらのドロップ及びアド装置は特に、ユーザの選択的サービスを可能にするための、ネットワークの選択された場所に置かれた分岐装置を備えている。
【０００３】
既知のように、光信号の伝送に関して優れた性能を得ること、また、特に、可能な波長の一定の範囲内で、情報を伝送するために使用される波長がいかなるものであれ、情報の伝送中に信号に影響を与える損失の均一化を行うことがとりわけ重要である。
【０００４】
さらに、多重信号のチャネルによってアド／ドロップ装置を通過する信号は、ドロップまたはアドを受けることなく、ドロップされた信号によって解放されたチャネル内に局所的にアドされるチャネルと同じ経路をとらない。したがって、それらの信号は、同じ挿入損失の影響を受けず、そのことは、アド／ドロップ装置の出力に出現する、多重信号の異なるチャネルによって伝送される信号についてのパワーレベルの差となって現れる。従って装置が、伝送するいくつかの多重光信号での挿入損失を不利にさせないようにするのは重要なことである。
【０００５】
既知のように、これらの損失は、利用される多重信号のチャネルのために用いられる種々の波長のついて、不均一な減衰に関係付けられることもある。また、これらのチャネルによってあらかじめ伝送されたドロップ信号の不十分な除去によって、信号の局所的なアドのために用いられるチャネルの中に、乱れが引き起こされることもありうる。
【０００６】
【発明が解決しようとする課題】
したがって、本発明は、多重化光信号のための入力と出力を備えた波長分割多重化光信号のアド／ドロップ装置であって、その入力と出力の間に処理回路が挿入され、それら処理回路の各々が、入力光多重信号の「Ｍ」個のチャネルうちの「Ｎ」個のチャネル中の１つのチャネルに含まれる光信号のドロップと、ドロップされた信号によって使用可能な状態にされた多重信号のチャネル内への光信号のアドとを可能にする装置を提案する。
【０００７】
【課題を解決するための手段】
本発明の特徴によれば、各処理回路は、特定の波長に対応する個別チャネルのための信号のドロップ用光学フィルタとアド用光学フィルタと、さらに、チャネルにおけるドロップ及びアドのための、ドロップ用フィルタのドロップポートと、アド用フィルタのアドポートと、装置のアド用個別入力と、装置のドロップ用個別出力とが接続された個別の光学切替えスイッチとを有する。回路のドロップ用フィルタは、装置の入力から、ドロップ用アセンブリにおけるチャネルの波長の大きい方から順に、直列に接続され、このアセンブリの出力には、回路のアド用フィルタが、アドアセンブリにおけるチャネルの波長の大きい方から順に、直列に連結される。各フィルタの多重信号の出力ポートは、装置の入力と出力との間で直列に、次のフィルタの多重信号の入力に連結され、それらの入力と出力に、第１のドロップ用フィルタの入力ポートと、最後のアド用フィルタがそれぞれ接続される。
【０００８】
本発明の特徴によれば、アドもドロップも可能でなく、装置を通過する多重化光信号についての挿入損失と、ドロップが可能なチャネルの「Ｎ」個の波長で伝送される多重化光信号のための挿入損失（ＩＬ＿ＡＤ）との間の差（ＩＬ＿ａｇｇ）は、式
ＩＬ＿ＡＤ−ＩＬ＿ａｇｇ＝ＩＬ＿ｄｒｏｐ＋ＩＬ＿ｓｗ＋ＩＬ＿ａｄｄ−（Ｎ＋１）×ＩＬ＿ｔｈｒｕ
によって表され、設置された処理回路の数Ｎについて最小となり、ＩＬ＿ｄｒｏｐはドロップ用フィルタについてのドロップ損失に対応し、ＩＬ＿ｓｗは信号が通過した光学切替えスイッチのレベルで発生する損失に対応する。また、ＩＬ＿ａｄｄは、アド用フィルタについての挿入損失に対応し、ＩＬ＿ｔｈｒｕは、ドロップまたはアド用フィルタの多重信号の入力ポートと多重信号の出力ポートとの間に発生する通過損失に対応する。
【０００９】
本発明の特徴によれば、除去用フィルタは、そこでドロップされた光信号に対する除去レベルをアップさせるために、回路のドロップ用フィルタの多重信号の出力ポートの下流側で、各回路内に組み込まれ、またこのフィルタは、フィルタ列の最初から２つのうちの１つのドロップ用フィルタのために、すぐ次のドロップまたはアド用フィルタの多重信号の出力ポートと入力ポートとの間に直接的に、あるいは、その入力ポートによって接続された除去用フィルタのすぐ前のアドまたはドロップ用フィルタの出力ポートと回路のアド用フィルタの入力ポートとの間に挿入される。
【００１０】
本発明の変形実施形態によれば、各回路は、そこでドロップされる光信号対する回路の除去のレベルをアップするために２つの除去用フィルタを備え、これら２つのフィルタのうち、１つは、ドロップアセンブリにおける回路のドロップ用フィルタの多重信号の出力ポートの下流側に、もう１つは、アドアセンブリにおける回路のアド用フィルタの入力ポートの上流側に接続される。
【００１１】
本発明の特徴によれば、レベル調整用固定減衰器は、最後のドロップ用フィルタから発生する多重信号が通過するドロップアセンブリの出力と、その多重信号が受け取られるアドアセンブリの最初のフィルタの入力ポートとの間に挿入される。
【００１２】
本発明の他の変形実施形態の特徴によれば、処理回路は、一方では、装置の出力多重信号内に再挿入するための回路のアド用フィルタに、もう一方では、回路に割当てられる装置のドロップ用個別出力に、ドロップされる光信号を同時に伝送することを可能にするために、ドロップポートが第１の光学ディバイダに接続されるドロップ用フィルタを備える。
【００１３】
他の特徴によれは、処理回路は、一方では回路のアド用フィルタに、もう一方では、回路に割当てられる装置のドロップ用個別出力に、アド用個別入力から受け取った信号を同時に伝送することを可能にするために、装置の信号のアド用個別入力に接続された第２の光学ディバイダを備え、こうした伝送は、回路の少なくとも１つの切替えスイッチを経由して行われる。
【００１４】
他の特徴によれば、装置は、２つの非対称出力を有する光学ディバイダを備える。
【００１５】
最後の特徴によれば、アド、ドロップ、除去用フィルタは、多層型干渉フィルタ（ＭＩＦ）タイプ、ＩＦＢＳタイプあるいはＭＺ−ＩＦＢＳタイプ、または中央領域にブラグ格子を有する溶解−線引き加工によって得られたファイバカップラタイプである。
【００１６】
添付の図面を参照して以下に本発明とその特徴及び利点を説明する。
【００１７】
【発明の実施の形態】
図１に示されている波長分割多重化光信号のアド／ドロップ装置１は、入力Ｉのレベルで光多重信号Σを受け取るために備えられる。多重信号Σは、各チャネルについて異なり、特定の波長を有するチャネルによって各々伝送される整数「Ｍ」個の多重化光信号で構成される。多重信号Σの多重化光信号の数「Ｍ」個のうちの「Ｎ」個は、あらかじめ決定された波長に対応するチャネルを介して伝送され、アド／ドロップ装置によって、この多重信号Σからドロップすることができる。この装置は、そのレベルではドロップが想定されないような波長に対応するチャネルによって装置を通過する「Ｍ−Ｎ」個の多重化光信号とともに多重信号Σ’を構成するために、異なる発生源を有する「Ｎ」個の光信号をアドすることができる。この多重信号Σ’は、装置１の出力Ｏに印加される。
【００１８】
「Ｎ」個の処理回路２の列は、アド／ドロップ装置内に設けられる。これらの回路２の各々は、装置１によってドロップ及びアドするために用いられる「Ｎ」個の波長の１つのための選択フィルタ手段と、装置内にドロップまたはアドすることができる信号を方向づけするための光切替え手段とを有する。
【００１９】
ここで提案された例においては、各回路２は、少なくとも１つの光学ドロップ用フィルタ３と、光学切替えスイッチ４と光学アド用フィルタ５とを有する。
【００２０】
個々の回路２のために設けられたドロップ用フィルタ３は、同一の構成をもつと仮定される。それらは、各々が、多重信号のための入力ポート３Ｅと、特定チャネルの信号のためのドロップ用と呼ばれる出力ポート３Ｓ１と、多重信号のための通過用と呼ばれる出力ポート３Ｓ２を備える。それらは、装置１の入力Ｉと、それらが構成するドロップアセンブリ６の出力Ｓとの間に、直列に取り付けられる。それらのうちの第１のフィルタの入力ポート３Ｅは、入力Ｉを経由して入力多重信号Σを受け取る。図１に提案された実施形態においては、他のドロップ用フィルタ３の入力ポート３はそれぞれ、各々が、１つ前のドロップ用フィルタの通過ポート３Ｓ２に接続される。これらの他のドロップ用フィルタの各々は、ドロップアセンブリ６の中で先行する１つまたは複数のフィルタによってドロップされる１つまたは複数の信号が減じられた、多重信号Σに対応する光多重信号を受け取る。
【００２１】
回路２のアド用フィルタ５は、同じ構成を有し、それらは、各々、アドポート５Ｅ１と、入力ポート５Ｅ２と、出力ポート５Ｓとを有する。それらは、減衰器７と装置１の出力Ｏとの間に直列に取り付けられ、それらの間でアドアセンブリ８が形成される。減衰器７は、ドロップアセンブリ６の出力Ｓに接続され、第１のアド用フィルタ５の入力ポート５Ｅ２は、アドアセンブリ８において、減衰器７の下流側に接続される。図１に提案された実施形態において、他のアド用フィルタ５の各々の入力ポート５Ｅ２は、アドアセンブリ８において１つ前のアド用フィルタの出力ポート５Ｓに接続される。
【００２２】
ドロップ用フィルタ３及びアド用フィルタ５は、ファイバに組み込まれたブラグ格子を備える、通常ＩＦＢＧ（Ｉｎ  Ｆｉｂｅｒ  Ｂｒａｇｇ  Ｇｒａｔｉｎｇ）と呼ばれるフィルタとすることができる。これらのフィルタはまた、溶解−線引き加工によって得られ、それらの中央部分にブラグ格子を有するるカップラ、または、サーキュレータに連結されたブラグ格子によって構成することができる。通常ＭＩＦ（Ｍｕｌｔｉｌａｙｅｒ  Ｉｎｔｅｒｆｅｒｅｎｃｅ  Ｆｉｌｔｅｒｓ）と呼ばれる多層型干渉フィルタはまた、図２に示されている変形実施形態と関連して考慮されるように備えることができる。
【００２３】
処理回路２の中に設けられた光学切替えスイッチ４は、たとえば２つの入力と２つの出力を有する切替えスイッチである。回路２の光学切替えスイッチ４の第１の入力は、回路のドロップ用フィルタ３のドロップポート３Ｓ１に接続される。このフィルタによってドロップされた光信号が、装置１の対応するドロップ用ローカルポート４Ｓ１に接続する切替えスイッチの第１の出力に向かって、もしくは、当該回路２のアド用フィルタ５のアドポート５Ｅ１に接続される切替えスイッチの第２の出力に向かって、切替えられる。各光学切替えスイッチ４の第２の入力は、装置のアド用個別入力４Ｅ１に接続される。光信号は、ドロップされた信号によってあらかじめ用いられるチャネルにおいて、回路のフィルタ３によってドロップされた光信号に置き換えられる。アド用個別入力によって局所的に印加され、アドポート５Ｅ１に向かって伝送された信号は、装置の切替えスイッチ４に対して働きかけることができる、ここに図示されていない制御手段の制御の下で、たとえばテストの目的で、それを備える回路２のドロップポート４Ｓ１に向かって、交互に切り替えられる。
【００２４】
図１に示された例においては、各々が光信号の局所的なアドを可能にする４つの処理回路の数「Ｎ」が想定され、これらの信号は、それぞれが装置１のレベルでドロップされた信号によって用いられる波長λ１、λ２、λ３、λ４に等しい、λ１’、λ２’、λ３’、λ４’によって指定された波長を用いる。
【００２５】
一般的に、本発明による装置１は、ドロップ及びアドのためにその装置が連結される光学多重リンクの２つの増幅器間にあらかじめ位置決めされなければならない。各処理回路２に固有のチャネルの光波長は、それらを有する装置１における他の回路２に対して、この回路の位置決定の際に考慮に入れられる。このことは、上述のような多重光信号が通過する光増幅器の中に発生する、通常は英語で「ｇａｉｎ−ｔｉｌｔ」という表現で示される波長に応じた利得の変化を計算に入れることを目的とする。こうした利得の変化は、増幅器の入力に与えられたパワーレンジについて直線的であるとみなすことができ、それはまた、当該増幅器においては波長と逆方向に増大する利得として表される。
【００２６】
したがって、アセンブリ６のドロップ用フィルタ３とアセンブリ８のアド用フィルタ８は、同様に、それらのフィルタの各々がドロップもしくはアドを行なう多重信号の個別チャネルの波長に応じて配分される。したがって、それを備えるアセンブリ６または８内の先頭に位置決めされたフィルタは、波長が最も長い個別チャネルを計算に入れるフィルタであり、それはまた、減少する波長によって分配されるアセンブリの他のフィルタを連続的にともなう。処理回路２のドロップ用フィルタ３は、それを有する装置のドロップアセンブリ６の中に、この装置のアドアセンブリ８における同一の処理回路のアド用フィルタ５と同じ相対位置を有する。
【００２７】
そのため、ドロップポートの間で、すなわち、図１で提案された例において、装置のドロップ用個別出力４Ｓ１のレベルで出現する、減少すると仮定される波長λ１、λ２、λ３、λ４の信号について、出力のパワーレベルの差を最小化することが可能となる。同様に、減少すると仮定される波長λ１’、λ２’、λ３’、λ４’の信号のような、局所的にアドされる信号について要求される入力パワー間のレベルの差が最小化される。
【００２８】
装置１の処理回路２の数、すなわち用いることが可能な波長の数「Ｎ」は、さまざまな光信号が、切替えスイッチとフィルタを通して通過する場合に、それらの信号に影響を与える挿入損失を計算に入れて決定される。
【００２９】
これらの損失は特に、各ドロップ用フィルタ内を通過する多重信号とドロップされた光信号に影響を与える損失である。図１に示された例においては、これらの損失は、ドロップされた信号については、入力ポート３Ｅとドロップポート３Ｓ１との間で、ドロップされた信号が減じられた多重信号については、入力ポート３Ｅと通過ポート３Ｓ２との間で発生するとみなされる損失である。
【００３０】
これらの損失はまた、一方では、アド用フィルタのレベルで多重信号内にアドされる信号に影響を与え、他方では、このフィルタによって通過し、アドを受ける多重信号に影響を与える損失である。図１に示された例においては、これらの損失は、アドされた信号については、フィルタのアドポート５Ｅ１と出力ポート５Ｓとの間で、また、このフィルタによって受け取られた多重信号については、入力ポート５Ｅ２と、同一フィルタ内へのこの同じ出力ポート５Ｓとの間で発生するものとみなされる。
【００３１】
これらの損失はまた、回路の光学切替えスイッチ４によって引き起こされる損失である。
【００３２】
より厳密には、装置１を通過する多重化光信号についての挿入損失は、ドロップまたはアドされる可能性をもたずに、ここでは、以下の式で表される。
【００３３】
ＩＬ＿ａｇｇ＝２Ｎ×ＩＬ＿ｔｈｒｕ
この式において、ＩＬ＿ｔｈｒｕは、多重信号の入力と多重信号の出力との間に、すなわち、ドロップ用フィルタ３の入力ポート３Ｅと通過ポート３Ｓ２との間に、あるいはアド用フィルタ５の入力ポート５Ｅ２と出力ポート５Ｓの間に、発生する通過型と呼ばれる損失に対応する。
【００３４】
抽出される可能性がある波長に挿入された信号に影響を与える挿入損失は、ここでは、以下の式で表される；
ＩＬ＿ＡＤ＝ＩＬ＿ｄｒｏｐ＋ＩＬ＿ｓｗ＋ＩＬ＿ａｄｄ＋（２Ｎ−２−ｎ）×ＩＬ＿ｔｈｒｕ
この式において、ＩＬ＿ｄｒｏｐは、ドロップ用フィルタ３の入力ポート３Ｅとドロップポート３Ｓとの間に発生するドロップ型と呼ばれる損失に対応する。
【００３５】
ＩＬ＿ｓｗは、通過される光学切替えスイッチ３のレベルで発生する損失に対応する。
【００３６】
ＩＬ＿ａｄｄは、アド用フィルタ５のアドポート５Ｅ１と出力ポート５Ｓとの間で発生する損失に対応する。
【００３７】
またこの式において「ｎ」は、ドロップ用フィルタの通過ポート３Ｓ２と、同一回路のアド用フィルタの入力ポート５Ｅ２との間に置かれたフィルタ数に対応する。
【００３８】
フィルタ及び切替えスイッチのような構成エレメントが従来の損失を有する装置１の規模は、以下の式を最小化する数「Ｎ」を選択することによって決められる。
【００３９】
ＩＬ＿ＡＤ−ＩＬ＿ａｇｇ＝ＩＬ＿ｄｒｏｐ＋ＩＬ＿ｓｗ＋ＩＬ＿ａｄｄ−（Ｎ＋１）×ＩＬ＿ｔｈｒｕ＝ｋ
したがって、それは、実施されるテクノロジーの選択によって決まる。
【００４０】
たとえば、多層型干渉（ＭＩＦ）タイプのアド及びドロップ用フィルタの利用が想定され、さらに当該損失の値が以下になる場合には：
ＩＬ＿ｄｒｏｐ＝ＩＬ＿ａｄｄ＝１．５ｄＢ，  ＩＬ＿ｔｈｒｕ＝０．７ｄＢ，  ＩＬ＿ｓｗ＝１ｄＢ
ｘの近似関数であるＩＮＴ（ｘ）は、最も近い整数の値に対応することから、数「Ｎ」はＩＮＴ（３．４／０．７）＝５に対応する。
【００４１】
この関数ＩＮＴ（ｘ）の断続的な性質は、数Ｎの選択に関して過度に厳しい制約を課すことなく得ることができる均一の最適化における上限を定める。
【００４２】
式ＩＬ＿ｄｒｏｐ＋ＩＬ＿ｓｗ＋ＩＬ＿ａｄｄ＋（Ｎ＋１）×ＩＬ＿ｔｈｒｕがゼロより大きい限り、一定の値「Ｎ」の装置１について、信号間の均一性を最大化することができるｋに等しい値の、図１における減衰器７のような減衰器を作製することが可能である。
【００４３】
すでに示したように、この減衰器は、種々のアド用フィルタ５を介してアドされる信号に対してそのレベルを低くしながら、アドアセンブリ８の第１のアド用フィルタ５の入力ポート５Ｅ２に向かって、ドロップアセンブリ６の出力Ｓから伝送された多重信号を構成する波長分割多重化信号に働きかける。
【００４４】
図２に示された第１の変形実施形態では、個別チャネルからドロップされた光信号の残留が、装置１の出力Ｏを経由して伝送されるためにそのチャネル内に局所的にアドされた信号に付加される可能性をすべて取り除くのに、各フィルタに固有の除去が十分でない場合について、とりわけ想定される。
【００４５】
これは、各フィルタが、たとえばおよそ１０ｄＢの除去レベルしかもたないことから、特に、ドロップ用フィルタ３及びアド用フィルタ５が、多層型干渉フィルタであり、個別には必要な除去レベルに達することができない場合にもあてはまる。
【００４６】
そのため、回路の総合的除去レベルをさらに引上げることができるように、各処理回路２’内に除去用フィルタ９を付加することが想定される。このとき、多層型干渉タイプの除去用フィルタ９を付加する場合には、処理回路によって得られるこの総合的除去レベルは、およそ３０ｄＢとなり、それで十分であるとみなされる。これらのフィルタは、上述したタイプもしくは、ブラグ格子がファイバ型のマッハゼンダ構造の中に組み込まれるＭＺ−ＩＦＢＧ（Ｍａｃｈ−Ｚｅｈｎｄｅｒ  Ｉｎ  Ｆｉｂｅｒ  Ｂｒａｇｇ  Ｇｒａｔｉｎｇ）と呼ばれるフィルタである。
【００４７】
好ましい実施形態によれば、装置１’の除去用フィルタ９は、たとえば１つは奇数のドロップ用フィルタの下流側に、もう１つは偶数のアド用フィルタの上流側に置かれた、装置の２つのドロップアセンブリ６’及びアドアセンブリ８’間に、交互に配分される。
【００４８】
図２に示された変形実施形態において、最も長い波長に対応する第１回路２’の除去フィルタ９は、その第１回路のドロップ用フィルタ３の通過ポート３Ｓ２と、そのフィルタの次の、したがって第１回路の波長より短い次の波長に対応する回路２’のドロップ用フィルタ３の入力ポート３Ｅとの間でドロップアセンブリ６’内に設置される。
【００４９】
第２の回路の除去用フィルタ９は、反対に、第１回路のアド用フィルタ５の出力ポート５Ｓと、それを備える次の回路２’のアド用フィルタ５の入力ポート５Ｅ２との間でアドアセンブリ８’内に置かれ、それぞれにそれらを備える回路の奇数または偶数にしたがって、他の除去用フィルタについても以下同様となる。
【００５０】
いかなる場合でも、各除去用フィルタ９は、入力ポート９Ｅによって、さらに、出力ポート９Ｓによって、フィルタ３またはそれより１つ前のフィルタ５に接続される。この入力ポートを介して、各フィルタは、それが続くフィルタ３またはフィルタ５が伝送する多重信号を受け取る。
【００５１】
図３に示された実施形態は、アド／ドロップ装置のためにとりわけ想定された処理回路の変形実施形態に対応し、ここでは、波長分割多重化光信号が、２つの異なる方向に同時に伝送されるようにできている。そのいずれか１つは、多重化信号が発生されるその信号について想定された方向である。
【００５２】
この実施形態は、処理回路のドロップ用フィルタ３と、唯１つの能動出力しか備えていないという点によって、切替えスイッチ４とは区別される第１の切替えスイッチ４’の２つの入力のうちの１つとの間に、光学ディバイダ１０を挿入することを想定する。ドロップ用フィルタ３のドロップポート３Ｓ１に接続された光学ディバイダ１０はまた、第２の切替えスイッチ４’の２つの入力の１つに接続され、その単一出力は、回路に固有の装置のドロップ用個別出力４Ｓ１’と連絡している。このようにして、この光学ディバイダ１０によって受け取られた信号は、一方ではドロップ用個別出力４Ｓ１’に、他方では、第１の切替えスイッチ４’がその単一出力によって接続されている当該の回路のアド用フィルタ５のアドポートに伝送される。
【００５３】
第２の光学ディバイダ１０’は、装置のアド用個別入力４Ｅ１’と、２つの切替えスイッチの各々４’の第２入力との間で当該の処理回路内に挿入される。この第２のディバイダは、上述の抽出用個別出力４Ｓ１’を経由して伝送の目的で、さらにその入力ポート５Ｅ２を経由して、アド用フィルタ５によって受け取られた多重信号内にアドする目的で、アド用個別入力４Ｅ１’によって到達する光信号を伝送することができ、そのアドは、同一回路のフィルタ３によってドロップされた信号によって先に占有されたチャネル内で行われる。
【００５４】
好ましい実施形態においては、光学ディバイダ１０は、装置の出力多重信号において処理回路によって再注入されたドロップ信号レベルが、ほんの少ししか低くならないよう、非対称の出力を有し、従って、ドロップ用の個別出力４Ｓ１’に伝送されるドロップ信号のレベルは、たとえばここには図示されていない方法で行われる増幅後に計算に入れることができるように、十分な値に減少する。
【図面の簡単な説明】
【図１】本発明によるアド／ドロップ装置の一例を概略図である。
【図２】本発明によるアド／ドロップ装置の変形実施形態の概略図である。
【図３】本発明によるアド／ドロップ装置の第２の変形実施形態に関する概略図である。
【符号の説明】
１、１’  アド／ドロップ装置
２、２’  処理回路
３  光学ドロップ用フィルタ
４、４’  光学切換えスイッチ
５  光学アド用フィルタ
６、６’  ドロップアセンブリ
７  減衰器
８、８’  アドアセンブリ
９  除去用フィルタ
１０  光学ディバイダ
３Ｅ、５Ｅ２、９Ｅ  入力ポート
３Ｓ１、３Ｓ２、５Ｓ、９Ｓ  出力ポート
３Ｓ２  通過ポート
５Ｅ１  挿入ポート
３Ｓ１、４Ｓ１  抽出ポート
４Ｅ１、４Ｅ１’  アド用個別入力
４Ｓ１、４Ｓ１’  ドロップ用個別出力
Ｉ  入力
Ｓ、Ｏ  出力
Σ  多重信号
【図１】
0004271789.tif 000002
【図２】
0004271789.tif 000003
【図３】
0004271789.tif 000004